(57)【要約】【課題】従来の肉厚の単管でも新たな肉薄の単管でもどちらにも使用できなおかつ肉薄の単管であってもがたつきが生じない接続金具を提供すること。【解決手段】建築用仮設足場を構成する円筒パイプ形状の単管を長手方向に連結する際に隣接する単管の間に介在される接続金具１であって、隣接する前記単管端部がそれぞれ当接するリング状の第１及び第２の当接面１３，１４を外周に有するカラー３と、カラー３に挿通されカラー３を挟んで逆方向にそれぞれ延出するように固定される前記単管端部のほぞ穴に挿入されるパイプ２とを有し、パイプ２の第１及び第２の当接面１３，１４の周縁にはそれぞれパイプ２の延出方向に沿って突出されるフランジ１５が形成され、連結された単管端部寄り外周をフランジ１５の内側に配置されるようにした。【選択図】      図１
0003152380.tif 000002
【実用新案登録請求の範囲】
【請求項１】
建築用仮設足場を構成する円筒パイプ形状の単管を長手方向に連結する際に隣接する単管の間に介在される接続金具であって、
隣接する前記単管端部がそれぞれ当接するリング状の第１及び第２の当接面を外周に有する円筒部材と、同円筒部材に挿通され同円筒部材を挟んで逆方向にそれぞれ延出するように固定される前記単管端部のほぞ穴に挿入されるほぞ体とを有し、
前記円筒部材の第１及び第２の当接面の周縁にはそれぞれ前記ほぞ体の延出方向に沿って突出される規制突起体が形成され、前記単管端部寄り外周は前記規制突起体の内側に配置されることを特徴とする接続金具。
【請求項２】
前記規制突起体は前記円筒部材の前記第１及び第２の当接面の周縁を包囲するフランジ体であることを特徴とする請求項１に記載の接続金具。
【請求項３】
前記フランジ体の一部には前記リング状の領域と外部とを連通する連通孔が形成されていることを特徴とする請求項２に記載の接続金具。
【請求項４】
前記連通孔は前記フランジ体の先端から前記第１及び第２の当接面に及ぶ切り欠き部であることを特徴とする請求項３に記載の接続金具。
【請求項５】
前記規制突起体は前記第１及び第２の当接面の周縁に配置された３つ以上のブロック体であることを特徴とする請求項１に記載の接続金具。
【請求項６】
前記ブロック体は前記第１及び第２の当接面の周縁に均等な間隔で配置されることを特徴とする請求項５に記載の接続金具。
【請求項７】
前記円筒部材には前記第１及び第２の当接面にそれぞれ開口する透孔が形成されていることを特徴とする請求項１〜６のいずれかに記載の接続金具。
【請求項８】
前記円筒部材の内周壁と前記ほぞ体の間には同ほぞ体の長手方向に連通した空隙が形成されていることを特徴とする請求項１〜７のいずれかに記載の接続金具。
【請求項９】
前記ほぞ体には嵌合される前記単管の径方向に固着された係合ピンと係合されるＬ字状の係合溝が形成され、前記円筒部材には前記係合ピンが前記係合溝の係合位置に配置されたことを照合するための目印が形成されていることを特徴とする請求項１〜８のいずれかに記載の接続金具。
【請求項１０】
前記円筒部材は前記ほぞ体に対して所定のかしめ部においてかしめて固定されており、同かしめ部の上下位置にはかしめ部をかしめた際の変形が及ばないように透孔が形成されていることを特徴とする請求項１〜９のいずれかに記載の接続金具。
【考案の詳細な説明】
【技術分野】
【０００１】
本考案は建築用仮設足場を構成する円筒パイプ形状の単管を連結する際に隣接する単管の間に介在される接続金具に関するものである。
【背景技術】
【０００２】
建築用仮設足場においては所定の間隔で立設された単管としての支柱と、梁部材とを縦横に組み合わせ梁部材に踏み板を架設することで基本的骨格を構築するようにしている。その際に支柱は上下方向に接続金具を介在させて連結されている。足場の支柱を接続金具で接続した一例として特許文献１を挙げる。特許文献１では例えばその図６に上下に隣接する支柱としての縦パイプ２２を間に介在された接続金具としての連結部材２９で接続する旨が開示されている。上下の縦パイプ２２はほぞ穴となる端部側開口部にほぞとなる連結部材２９が挿入され連結部材２９の大径部２９ａに縦パイプ２２の端部が当接して連結されることとなる。
【先行技術文献】
【特許文献】
【０００３】
【特許文献１】特開２００７−１６２２８３号公報
【考案の概要】
【考案が解決しようとする課題】
【０００４】
ところで、近年単管の素材として高張力鋼材のような引張り強度や曲げ強度等に優れた素材が使用されるようになってきている。そのため、従来と同じ強度でより軽量化を図ることができる肉の薄い単管（外径は同じ）が提供されるようになっている。足場部材は適宜新たな部材が補充されるため、この従来の肉厚の単管と比べて肉薄の単管が混交して足場が構築されることとなる。
ところが、上記のように単管の端部のほぞ穴に接続金具のほぞを挿入して単管と接続金具とを嵌合させた際に肉薄の単管では従来の肉厚の単管に比べて内周面とほぞとの間隔が開いてしまい、がたつきが生じてしまっていた。この場合に肉薄の新たな単管に応じてほぞを太くすると従来の肉厚の単管に挿入できなくなってしまうためそのような手段でがたつきを防止することはできない。そのため、従来の肉厚の単管でも新たな肉薄の単管でもどちらにも使用できなおかつ肉薄の単管であってもがたつきが生じない接続金具が求められていた。
本考案は上記課題を解決するためのものである。その目的は、従来の肉厚の単管でも新たな肉薄の単管でもどちらにも使用できなおかつ肉薄の単管であってもがたつきが生じない接続金具を提供することにある。
【課題を解決するための手段】
【０００５】
上記課題を解決するために第１の手段では、建築用仮設足場を構成する円筒パイプ形状の単管を長手方向に連結する際に隣接する単管の間に介在される接続金具であって、隣接する前記単管端部がそれぞれ当接するリング状の第１及び第２の当接面を外周に有する円筒部材と、同円筒部材に挿通され同円筒部材を挟んで逆方向にそれぞれ延出するように固定される前記単管端部のほぞ穴に挿入されるほぞ体とを有し、前記円筒部材の第１及び第２の当接面の周縁にはそれぞれ前記ほぞ体の延出方向に沿って突出される規制突起体が形成され、前記単管端部寄り外周は前記規制突起体の内側に配置されることをその要旨とする。
このような構成とすることによって、単管の端部のほぞ穴に接続金具のほぞ体を挿入して嵌合させることで接続金具を介して隣接する単管は連結されることとなる。その際に単管の端部は第１及び第２の当接面に当接され単管の端部周囲は規制突起体によって包囲されることとなる。そのため、単管はその外周側で規制突起体によってがたつきが生じないように規制することが可能となるため、単管のほぞ穴の内径に大小があったとしても影響を受けないこととなる。
【０００６】
また、第２の手段では第１の手段に加え、前記規制突起体は前記円筒部材の前記第１及び第２の当接面の周縁を包囲するフランジ体であることをその要旨とする。
第２の手段は規制突起体の構成をより具体化したものであり、このような構成であれば単管の端部寄り全周囲がフランジ体によって包囲されるため足場全体の強度の向上に貢献することとなる。
また、第３の手段では第２の手段に加え、前記フランジ体の一部には前記リング状の領域と外部とを連通する連通孔が形成されていることをその要旨とする。フランジ体が立ち上がっている（上方に向かって延出されている）と単管を上下方向に連結した支柱として使用した場合に単管を伝わって雨水がフランジ体に包囲されたリング状の領域内（内部）に溜まってしまう可能性があるが、このような構成とすることによってフランジ体に包囲された内部に雨水が溜まることがなくなる。
また、第４の手段では３の手段に加え、前記連通孔は前記フランジ体の先端から前記第１及び第２の当接面に及ぶ切り欠き部であることをその要旨とする。第４の手段は連通孔の構成をより具体化したものであり、このような切り欠き部とすることで雨水がより溜まりにくくなる。
【０００７】
また、第５の手段では第１の手段に加え、前記規制突起体は前記第１及び第２の当接面の周縁に配置された３つ以上のブロック体であることをその要旨とする。
第５の手段は規制突起体の構成をより具体化したものであり、このような構成であれば接続金具の軽量化を図ることができ、また単管を上下方向に連結した支柱として使用した場合に雨水が溜まりにくくなる。
また、第６の手段では第５の手段に加え、前記ブロック体は前記第１及び第２の当接面の周縁に均等な間隔で配置されることをその要旨とする。第６の手段は第５の手段をより具体化したものであり、このような構成であれば見た目がよく単管をセットしやすくなる。尚、ブロック体の幅が広くなると上記り欠き部が形成されたフランジ体と同じ構成となる。
【０００８】
また、第７の手段では第１〜６のいずれかの手段に加え、前記円筒部材には前記第１及び第２の当接面にそれぞれ開口する透孔が形成されていることをその要旨とする。このような構成であれば単管を上下方向に連結した支柱として使用した場合に透孔から雨水や塵埃が落ちるためリング状の領域内に雨水や塵埃が溜まりにくくなる。
また、第８の手段では第１〜７のいずれかの手段に加え、前記円筒部材の内周壁と前記ほぞ体の間には同ほぞ体の長手方向に連通した空隙が形成されていることをその要旨とする。このような構成であれば単管を上下方向に連結した支柱として使用した場合にリング状の領域内に雨水が溜まりにくくなる
また、第９の手段では第１〜８のいずれかの手段に加え、前記ほぞ体には嵌合される前記単管の径方向に固着された係合ピンと係合されるＬ字状の係合溝が形成され、前記円筒部材には前記係合ピンが前記係合溝の係合位置に配置されたことを照合するための目印が形成されていることをその要旨とする。
このような構成とすることで、目印を目安にして単管の係合ピンが接続金具の係合溝に正しく係合しているかどうかを容易に確認することができる。
また、第１０の手段では第１〜９のいずれかの手段に加え、前記円筒部材は前記ほぞ体に対して所定のかしめ部においてかしめて固定されており、同かしめ部の上下位置にはかしめ部をかしめた際の変形が及ばないように透孔が形成されていることをその要旨とする。
【考案の効果】
【０００９】
上記各請求項の考案の接続金具では、連結された単管の端部をその外周側で規制突起体（より具体的にはフランジ体あるいはブロック体）によってがたつきが生じないように規制することが可能となるため、単管のほぞ穴の内径に大小があったとしても影響を受けることがない。
【図面の簡単な説明】
【００１０】
【図１】本考案の一実施例の接続金具を斜め上方から見た斜視図。
【図２】同じ接続金具であって（ａ）は正面図、（ｂ）は背面図。
【図３】同じ接続金具の縦断面図。
【図４】同じ接続金具に対し支柱用単管を嵌合している途中の状態を説明する説明図。
【図５】同じ接続金具を介して上下に支柱用単管を連結した状態の斜視図。
【図６】（ａ）は接続金具に対して支柱用単管を嵌合させている途中、（ｂ）は支柱用単管の端部を第１の当接面に当接させた状態、（ｃ）は（ｂ）の状態から支柱用単管を係合位置に回動させた状態のそれぞれ説明図。
【図７】支柱用単管の端部を接続金具側の支柱受け部の第１の当接面に当接させた状態の部分拡大断面図。
【図８】他の実施例の接続金具を斜め上方から見た斜視図。
【考案を実施するための形態】
【００１１】
以下、本考案を具体化した実施例について図面に基づいて説明する。
図１〜図６に示すように、支柱用単管の接続金具１はほぞパイプ２とほぞパイプ２の外周に嵌合されたカラー３とから構成されている。尚、以下の説明の都合上接続金具１は図１における上下方向をもってそれぞれ上下とするものとする。
ほぞ体としてのほぞパイプ２は合金製の円筒形状のパイプ材から構成されており、その両端寄りには１８０度対向する位置に略Ｌ字状の一対の係合溝５が形成されている。係合溝５はほぞパイプ２の長手方向に沿った縦溝５ａと縦溝５ａの先端からほぞパイプ２の周方向に屈曲する横溝５ｂから構成されている。図１及び図２に示すように、一方の端部において対向位置に形成された一対の係合溝５他方の端部では同様に対向位置に形成され周方向に９０度変位して形成されている。
円筒部材としての合金製のカラー３は内部にほぞパイプ２の外径よりわずかに大きな内径の断面円形の透孔７を有しており、全体として中央の連結部８とその両側（上下）の支柱受け部９とに区分けされている。
連結部８はほぞパイプ２の全周囲を均等な厚みでかつ一定幅の壁体として包囲している。図２（ｂ）に示すように連結部８の一部には周方向に沿った上下一対の長孔１０が透設されている。両長孔１０の間の領域はかしめ部１１とされている。カラー３はかしめ部１１をかしめることでほぞパイプ２に対して固定されている。つまり、カラー３はかしめ部１１及びかしめ部１１と１８０度周方向に変位した位置においてほぞパイプ２に密着させられて（食い込んでいる）おり、その他の部分ではほぞパイプ２との間にわずかな隙間が形成されている状態である。
両支柱受け部９はほぞパイプ３の全周囲に連結部８に対してより大径な外方に張り出した構成とされている。上側の支柱受け部９の上面は第１の当接面１３とされ、下側の支柱受け部９の下面は第２の当接面１４とされている。第１及び第２の当接面１３，１４の外縁位置にはほぞパイプ３の長手方向に張り出したフランジ１５が形成されている。フランジ１５の外周には前記係合溝５における横溝５ｂの末端（つまり行き止まり位置）の周方向位置を示すマーク１６が刻印されている。
【００１２】
次のこのような構成の接続金具１の使用方法について簡単に説明する。
本実施例では上下方向に支柱用単管２１を接続金具１を介して接続する場合について説明する。尚、ここでは支柱用単管２１を接続するために使用しているので上下方向の接続について説明するが接続金具は単管を上下方向以外にも横方向や斜め方向に接続する場合にも使用可能である。
図４及び図５に示すように接続金具１を間に介在させ、そのほぞパイプ２に対して上下に支柱用単管２１の端部２２をほぞ穴の入口として嵌合させる。図４及び図５では説明上上下の支柱用単管２１を同時に接続金具１に嵌合させるような図示であるが、実際は下方の支柱用単管２１に対し、まずその上端に接続金具１を取り付け、その接続金具１に対して上方の支柱用単管２１を取り付けるのが一般的である。
上方の支柱用単管２１を例にとってより詳しく接続工程を説明する。図６（ａ）〜（ｃ）に示すように、支柱用単管２１の端部２２の開口部から接続金具１のほぞパイプ２に挿入させながら両者を嵌合させていく。この時、支柱用単管２１の端部２２寄り径方向には係合ピン２３が取り付けられているため、図６（ａ）に示すように係合ピン２３がちょうどほぞパイプ２の係合溝５の縦溝５ａ位置に一致するように支柱用単管２１とほぞパイプ２との相対的な周方向位置を決めて進出させるようにする。支柱用単管２１の端部２２がちょうどカラー３の支柱受け部９の上面の第１の当接面１３に当接すると図６（ｂ）に示すように係合ピン２３はちょうど縦溝５ａの最下部位置に配置されることとなる。この状態で支柱用単管２１は横溝５ｂ方向への回動が許容されるため、支柱用単管２１を横溝５ｂ方向に回動させる。係合ピン２３が横溝５ｂの最先端、つまり行き止まり位置に達してそれ以上の回動が不能になった段階で支柱用単管２１の装着が完了する。この位置は支柱用単管２１が確実に接続金具１に確実に脱落しないように取り付けられている状態であることから、それを示すために図６（ｃ）及び図５のように係合ピン２３の位置がマーク１６と同一周回位置に配置されることとなる。
上記において支柱用単管２１の端部２２が支柱受け部９の上面の第１の当接面１３に当接することは図５及び図７に示すように支柱用単管２１の端部２２寄り部分はほぞパイプ２と第１の当接面１３と支柱受け部９に形成されたフランジ１５によって区画されたリング状の領域（溝）Ｓ内に挿入されることとなる。そして、支柱用単管２１の端部２２寄り外周部分はフランジ１５によって外方から包囲されることとなる。
【００１３】
上記実施例のように構成することにより、次のような効果が奏されることとなる。
（１）支柱用単管２１を接続金具１に取り付けることによって、支柱用単管２１の端部寄り外周部分はカラー３の支柱受け部９に形成されたフランジ１５によって外方から包囲されることとなる。つまり、外方への移動が規制されることとなるため、支柱用単管２１の厚みが違っていても外径さえ共通であればフランジ１５の規制によってがたつきが抑制され、若干のがたつきがあっても厚みの違いの影響はない。
（２）フランジ１５によってごく近接した位置で支柱用単管２１の端部寄りは包囲されることからもし支柱用単管２１が変形するような大きな外力が作用した場合には支柱用単管２１はフランジ１５によって端部位置で支持されることとなる。つまり、このような接続金具１を使用することによって足場全体の強度の向上を図ることができる。
（３）支柱用単管２１の肉が薄いと従来の接続金具を使用した場合では支柱用単管２１を接続金具上に当接させても径方向にがたつきがあるので支柱用単管２１が支柱用単管２１から外方にはみ出てしまってその端面すべてが接続金具に受けられない場合があった。そのため、圧縮荷重を受ける断面積が小さくなって挫屈が生じやすくなっていた。しかし、上記の接続金具１の場合ではフランジ１５によって支柱用単管２１は外方から包囲されて従来のような大きながたつきは防止され支柱用単管２１の端面もすべて接続金具１に受けられることとなるため挫屈が生じにくくなっている。
（４）フランジ１５を形成することによって接続金具１自体の強度の向上をはかることができ、軽量化に貢献することが可能である。
（５）カラー３の外周には支柱用単管２１の周方向に正しい位置にあるかどうかを確認するためのマーク１６を刻印したため、一見して支柱用単管２１が正しく接続されているかどうかを目視することが可能となる。
（６）接続金具１はカラー３をほぞパイプ２に対してかしめ部１１においてかしめて固定するようにしている。つまり、かしめ部１１周辺及びその１８０度周方向に変位した位置以外では微妙に隙間（空隙）があるため、支柱用単管２１やほぞパイプ２を伝わった雨水はその隙間から抜けるため支柱受け部９上面に雨水が溜まることはない。
（７）かしめ部１１の上下位置には長孔１０が形成されているため、かしめ部１１をかしめた際の周囲に及ぶ変形がフランジ１５に伝わらないようになっている。
【００１４】
上記実施例は、以下のように具体化されてもよい。
・接続金具１のカラー３において図８に示すように支柱受け部９の外周のフランジ１５に部分的に切り欠き部２５を設けるようにしてもよい。図８では上下のフランジ１５にそれぞれ３箇所に小さめの切り欠き部２５を設けるようにしたが、この切り欠き部２５が大きければフランジ１５ではなく支柱受け部９の外周に形成されたブロック体と見ることも可能である。尚、上下両方のフランジ１５に切り欠き部２５を設けるようにしたが、いずれか一方だけでも構わない。
・第１の当接面１３には外部に連通する透孔を設けるようにしてもよい。
・その他、本考案の趣旨を逸脱しない態様で実施することは自由である。
【符号の説明】
【００１５】
１…接続金具、２…ほぞ体としてのほぞパイプ、３…円筒部材としてのカラー、１５…規制突起体としてのフランジ、１３…第１の当接面、１４…第２の当接面、２１…単管。  
【図１】
0003152380.tif 000003
【図２】
0003152380.tif 000004
【図３】
0003152380.tif 000005
【図４】
0003152380.tif 000006
【図５】
0003152380.tif 000007
【図６】
0003152380.tif 000008
【図７】
0003152380.tif 000009
【図８】
0003152380.tif 000010